(57)【特許請求の範囲】
【請求項１】
平面的かつ略平行に配列する多数の繊維状電極の各一端部分を、テープ状表面部材とテープ状裏面部材とによって挟持固定してなる除電ブラシにおいて、
前記繊維状電極とほぼ直交する方向に交差させて該繊維状電極と通電可能に接続させた導電性繊維を、前記テープ状表面部材の長手方向のほぼ全長にわたって配設するとともに、該導電性繊維が部分的に露出した導電性繊維露出部を形成し、
前記導電性繊維露出部は、前記テープ状裏面部材の長手方向の長さを前記テープ状表面部材の長手方向の長さよりも短くし、前記導電性繊維を前記テープ状裏面部材の端部より突出させることによって前記テープ状裏面部材の端部に形成してなり、
前記テープ状表面部材とテープ状裏面部材の互いに対峙する面に、前記繊維状電極と導電性繊維を該テープ状表面部材とテープ状裏面部材に固定するための非導電性粘着層を形成するとともに、前記テープ状裏面部材の前記テープ状表面部材に対峙していない側の面には非導電性粘着層を形成してなり、
前記繊維状電極に取り込まれた電荷を前記導電性繊維露出部を経由して除電するようにしたことを特徴とする除電ブラシ。
【請求項２】
平面的かつ略平行に配列する多数の繊維状電極の各一端部分を、テープ状表面部材とテープ状裏面部材とによって挟持固定してなる除電ブラシにおいて、
前記繊維状電極とほぼ直交する方向に交差させて該繊維状電極と通電可能に接続させた導電性繊維を、前記テープ状表面部材の長手方向のほぼ全長にわたって配設するとともに、該導電性繊維が部分的に露出した導電性繊維露出部を形成し、
前記導電性繊維露出部は、２つのテープ状裏面部材を長手方向に一定の間隔をおいてそれぞれテープ状表面部材と平行に対峙させることによって前記テープ状裏面部材の端部以外の場所に形成してなり、
前記テープ状表面部材とテープ状裏面部材の互いに対峙する面に、前記繊維状電極と導電性繊維を該テープ状表面部材とテープ状裏面部材に固定するための非導電性粘着層を形成するとともに、前記テープ状裏面部材の前記テープ状表面部材に対峙していない側の面には非導電性粘着層を形成してなり、
前記繊維状電極に取り込まれた電荷を前記導電性繊維露出部を経由して除電するようにしたことを特徴とする除電ブラシ。
【請求項３】
前記導電性繊維露出部における前記テープ状表面部材の表側の面から、その裏側の面に向かって凹陥状態に塑性変形させた凹陥部が形成されていることを特徴とする請求項１または２に記載の除電ブラシ。
【発明の詳細な説明】
【技術分野】
【０００１】
本発明はＯＡ機器などに貼着して使用する、静電気除去のため自己放電型の除電ブラシに関する。
【背景技術】
【０００２】
プリンタ、複写機、ファクシミリ等のＯＡ機器等では、出力媒体としての紙や合成樹脂フィルム等の帯電を除去するために自己放電式の除電ブラシが設けられる。この除電ブラシの多くは、アルミニウム板等の保持部材間に繊維状電極が植設された構造であり、ビス等によりＯＡ機器等に設置される。
近年、ＯＡ機器等の小型化に伴い、装着作業が容易で、しかも曲面部位にも装着可能な除電ブラシが要望され、アルミニウム箔等の可撓性保持部材で繊維状電極を挟持した構造の除電ブラシが多用されている（特許文献１〜３等参照）。このような除電ブラシは、保持部材の片面に塗布された粘着材を介してＯＡ機器等の筐体に貼着することにより設置される。
【０００３】
ところで、自己放電式除電ブラシの性能を発揮するには、繊維電極を筐体の金属等の導電性の部位にアースする必要がある。アルミニウム箔等の可撓性保持部材で繊維状電極を挟持した構造の除電ブラシをアースする手段として、従来は貼着する側の保持部材に導電性粘着テープを使用し、筐体の金属等の導電性金属部位に貼着していた。
しかし、導電性粘着テープは高価であり、また、通常の非導電性粘着テープに比べ、粘着力が低いという欠点があり、貼着部の表面状態によっては、貼着した除電ブラシが脱落する恐れがあった。また、ＯＡ機器等の筐体は樹脂化が進んでおり、除電ブラシ貼着部が非導電性材料の場合は導電性粘着テープを介してアースできないという問題もある。
【０００４】
【特許文献１】実開平３−１２４５９８号公報
【特許文献２】特開平５−２５８８９０号公報
【特許文献３】特許第２５９０７９２号明細書
【発明の開示】
【発明が解決しようとする課題】
【０００５】
本発明は、アルミニウム箔等の可撓性保持部材で繊維状電極を挟持した構造の除電ブラシにおいて、ＯＡ機器等の筐体への貼着強度が充分得られると共に、筐体の貼着部の大部分が非導電性材料であっても繊維電極をアースでき、除電性能を十分発揮する除電ブラシを安価に提供することを目的とする。
【課題を解決するための手段】
【０００６】
本発明の除電ブラシは、（１）平面的かつ略平行に配列する多数の繊維状電極の各一端部分を、テープ状表面部材とテープ状裏面部材とによって挟持固定してなる除電ブラシにおいて、前記繊維状電極とほぼ直交する方向に交差させて該繊維状電極と通電可能に接続させた導電性繊維を、前記テープ状表面部材の長手方向のほぼ全長にわたって配設するとともに、該導電性繊維が部分的に露出した導電性繊維露出部を形成し、前記導電性繊維露出部は、前記テープ状裏面部材の長手方向の長さを前記テープ状表面部材の長手方向の長さよりも短くし、前記導電性繊維を前記テープ状裏面部材の端部より突出させることによって前記テープ状裏面部材の端部に形成してなり、前記テープ状表面部材とテープ状裏面部材の互いに対峙する面に、前記繊維状電極と導電性繊維を該テープ状表面部材とテープ状裏面部材に固定するための非導電性粘着層を形成するとともに、前記テープ状裏面部材の前記テープ状表面部材に対峙していない側の面には非導電性粘着層を形成してなり、前記繊維状電極に取り込まれた電荷を前記導電性繊維露出部を経由して除電するようにしたことを特徴とする除電ブラシ。
このとき、（２）前記導電性繊維露出部を、２つのテープ状裏面部材を長手方向に一定の間隔をおいてそれぞれテープ状表面部材と平行に対峙させることによって前記テープ状裏面部材の端部以外の場所に形成してもよいし、（３）前記導電性繊維露出部における前記テープ状表面部材の表面（すなわち、前記テープ状裏面部材と対峙していない側の面）から、その裏側の面に向かって凹陥状態に塑性変形させた凹陥部が形成されていてもよい。
【発明の効果】
【０００８】
本発明の除電ブラシによれば、該除電ブラシのテープ状裏面部材に形成された非導電性粘着層を介して除電を必要とする機器の筐体に貼着するとともに繊維状電極と交差する導電性繊維を設けることにより、各々の繊維状電極に吸着した電荷を該導電性繊維に集電することができ、次いで導電性繊維露出部を介して直接該筐体に通電可能に接続するようにしたので、効果的に機器の筐体にアース等して除電することができる。
【０００９】
また、従来の導電性粘着テープにより貼着した場合よりも粘着力が強く、貼着した除電ブラシが脱落する恐れが極めて少ない上、高価な導電性粘着テープを使用しないか、その使用量を大幅に減らすことができるので、除電ブラシを安価に提供できる。
【発明を実施するための最良の形態】
【００１０】
図１〜３は本発明の除電ブラシの第１の実施態様例を示す図で、図１はその概略斜視図であり、図２は部分的に破断された一部破断正面図であり、図３は図２におけるＡ−Ａ面で切断された断面を示す横断面図である。
本例の除電ブラシ１は、図１〜３に示すように長方形の細長い形状を有し、互いに平行に対峙するテープ状表面部材４とテープ状裏面部材５との間に、平面的かつほぼ平行に配列した多数の繊維状電極２と、この繊維状電極２とほぼ直交する方向に交差させ、通電可能に接続させた状態でテープ状表面部材４及びテープ状裏面部材５の長手方向に配設させた導電性繊維３とを、繊維状電極２の各一端部分において挟持固定する。繊維状電極２の各他端部分はテープ状表面部材４及びテープ状裏面部材５の外部に露出させる。
【００１１】
さらに、平面的かつほぼ平行に配列した繊維状電極２の配列幅はテープ状裏面部材５の長手方向の長さとほぼ同じ幅となし、導電性繊維３の長さは繊維状電極２が配列されている領域よりも突出させて長くする。そしてテープ状表面部材４の長手方向の長さをテープ状裏面部材５の長さよりも長く、導電性繊維３の長さとほぼ同じにすることにより、導電性繊維３をテープ状裏面部材５の端部から露出した導電性繊維露出部Ｂを設ける。
【００１２】
テープ状裏面部材５は除電ブラシ１の静電気除去のためのＯＡ機器等の筐体（以下、単に「ＯＡ機器等の筐体」ともいう）への装着部であり、テープ状裏面部材５の裏側（テープ状表面部材４と対峙しない側の面）の表面には非導電性粘着層６が形成されており、本発明の除電ブラシは、この非導電性粘着層６を介してＯＡ機器等の筐体に貼着させて使用に供される。非導電性粘着層６の素材としては、例えばアクリル系、ゴム系、シリコン系、ウレタン系等の粘着材等が使用できる。
テープ状表面部材４及びテープ状裏面部材５が互いに対峙する面の少なくとも一方に非導電性粘着層６を形成しておくことによって、繊維状電極２及び導電性繊維３をテープ状表面部材４及びテープ状裏面部材５により強固に固定することができる。また、粘着層として非導電性粘着層６を用いたので、導電性粘着層を粘着層として用いる場合よりも、より製造コストを低減化することができる。
【００１３】
テープ状表面部材４及びテープ状裏面部材５のそれぞれぞれの内面（互いに対峙する側の面）には、繊維状電極２及び導電性繊維３をテープ状表面部材４及びテープ状裏面部材５に固定するための非導電性粘着層７、７が形成される。それ故に、各々の繊維状電極２，２・・・に吸着した電荷を該導電性繊維３に集電し易くすることができる。非導電性粘着層７、７は、導電性繊維３が露出した部分（導電性繊維露出部Ｂ）以外において必ずしもテープ状表面部材４及びテープ状裏面部材５のそれぞれに形成する必要はなく、テープ状表面部材４及びテープ状裏面部材５のいずれか一方の内面に形成しておくだけでもよい。ただし、導電性繊維とＯＡ機器等の筐体とは電気的に接続する必要があり、つまり、テープ状裏面部材５と筐体とを非導電性粘着層６を介して貼着した際に導電性繊維が筐体と接触しているのが好ましいので、導電性繊維３が露出した部分（導電性繊維露出部Ｂ）におけるテープ状表面部材４の内面に非導電性粘着層７を設けて、導電性繊維露出部Ｂにおいては、テープ状表面部材４の内面と筐体とが非導電性粘着層７を介して貼着する（導電性繊維は筐体と接触している）ようにする。
非導電性粘着層７の素材としては、例えばアクリル系、ゴム系、シリコン系、ウレタン系、エポキシ系、ポリオレフィン系等の溶剤系や、熱可塑系あるいは熱硬化系等、の粘着材が使用できる。
【００１４】
テープ状表面部材４及びテープ状裏面部材５としては、アルミニウム箔などの金属箔、ポリエステルフィルム、ポリエチレン、ポリウレタン等の合成樹脂フィルムもしくはシート、紙、これらの積層体などからなり、かつ、可撓性を有するテープ状の部材が用いられる。
繊維状電極２としては、ステンレス繊維（導電性繊維）、銅、アモルファス合金などの金属繊維、カーボン繊維、合成繊維に導電性ポリマーや硫化銅を被覆した導電性繊維、金属染色繊維等が用いられる。また、これらの導電性繊維の不織布、織布、編布などの導電性布帛（織物）であってもよい。
【００１５】
導電性繊維３としてはステンレス繊維、アモルファス金属繊維、その他の金属繊維、カーボン繊維、導電化した有機繊維、導電化した不織布を帯状に裁断したもの等が使用できるが、繊維状電極２と同一のものを用いることにより、構成材料を少なくし、また該電極２及び該繊維３の製造面からも好ましい。
【００１６】
除電ブラシ１を製造するには、例えば、最初に片方の表面に非導電性粘着層６、他方の表面に非導電性粘着層７がそれぞれ形成されたテープ状裏面部材５の非導電性粘着層７上に、その長手方向とほぼ平行にテープ状裏面部材５の長手方向の長さよりも長い導電性繊維３を裁置する。次にテープ状裏面部材５の上に、この導電性繊維３の上から導電性繊維３とほぼ直交するように交差させて繊維状電極２をほぼ平行に並べて配列させる。その後、この上に片面に非導電性粘着層７が形成された、長手方向の長さがテープ状裏面部材５よりも長いテープ状表面部材４を、非導電性粘着層７の形成面がテープ状裏面部材５と対峙する向きに重畳し、押圧してテープ状表面部材４とテープ状裏面部材５との間に繊維状電極２及び導電性繊維３とを挟持、固定すればよい。
【００１７】
本発明の除電ブラシの使用に際しては、テープ状裏面部材５の非導電性粘着層６が形成された面をＯＡ機器等の筐体に貼着して、繊維状電極２を静電気発生物と接触すべき位置に垂下させ、ついで導電性繊維露出部Ｂと、ＯＡ機器等の筐体の導電性部位とを直接貼着させて通電可能にする。このようにすれば、各々の繊維状電極２に吸着した電荷を導電性繊維３により集電することができ、次いで導電性繊維露出部Ｂを介して例えば図示しない筐体側の、例えばアース端子等を経てアースされる等して除電される。さらに、露出部Ｂは部分的に導電性繊維３が露出しているものであり、残りの部分はテープ状表面部材４とテープ状裏面部材５とで挟持されているので、導電性繊維３は脱落し難いものである。
【００１８】
図４は本発明の除電ブラシの第２の実施態様例を示す斜視図である。本実施態様例の除電ブラシは、前記第１の実施態様例の除電ブラシ１における導電性繊維露出部Ｂを端部に形成するのではなく端部以外の場所に設けた点以外は、各構成部材の素材も含めて前記第１の実施態様例の除電ブラシ１と同様である。
【００１９】
すなわち、第２の実施態様例の除電ブラシ１１は、それぞれ長方形の形状を有するテープ状表面部１４とテープ状裏面部１５との間に、繊維状電極１２と、この繊維状電極１２とほぼ直交する方向に交差し、互いに電気的に接続させた状態でテープ状裏面部材１５（及びテープ状表面部材１４）の長手方向に配設させた導電性繊維１３とを、繊維状電極１２の一端において挟持、固定する。ただし、テープ状裏面部材１５は２つのテープ状裏面部材１５、１５を長手方向に一定の間隔をおいてそれぞれテープ状表面部材１４と平行に対峙させる。この２つのテープ状裏面部材１５、１５の間隙から導電性繊維１３を部分的に露出させることによって導電性繊維露出部Ｂを形成させた構成を有するものである。
【００２０】
この除電ブラシ１１は、例えば、最初に、片方の表面に非導電性粘着層１６、他方の表面に非導電性粘着層１７がそれぞれ形成された２つのテープ状裏面部材１５を一定の間隔を隔てて配置し、それぞれの非導電性粘着層１７上に、その長手方向とほぼ平行にテープ状表面部材１４の長さの導電性繊維１３を裁置する。次にテープ状裏面部材１５の上に、この導電性繊維１３の上から導電性繊維１３とほぼ直交するように交差させて繊維状電極１２をほぼ平行に並べて配列させる。このとき、２つのテープ状裏面部材１５、１５の間隙部には繊維状電極１２を配列させてもさせなくても良い。次いでこの上に片面に非導電性粘着層１７が形成されたテープ状表面部材１４を非導電性粘着層１７面から重畳し、押圧して前記第１の実施態様例の除電ブラシ１と同様にして製造される。
【００２１】
なお、上記とは逆に、テープ状表面部材１４の片方の面に非導電性粘着層１７を形成し、該層１７上に繊維状電極１２を配列させ、該繊維状電極１２上に導電性繊維１３を裁置し、この上にテープ状裏面部材１５，１５を一定の間隔を隔てて配置、重畳し、押圧して製造してもよい。
【００２２】
本例の除電ブラシ１１では、テープ状裏面部１５のテープ状表面部材１４とは対峙しない側の面の表面に形成された非導電性粘着層１６をＯＡ機器等の筐体に直接貼着し、各々の繊維状電極１２に吸着し集電された電荷は導電性繊維１３に集電され、次いで導電性繊維露出部Ｂにおける露出した導電性繊維１３を介してＯＡ機器等の筐体側の例えばアース端子等を経てアースすることによって除電される。
【００２３】
また、図５は本願発明の除電ブラシの前記第２の実施態様例（除電ブラシ１１）の別の実施態様例を示す斜視図であり、本例の除電ブラシ１１は、部分的に欠落させた１つのテープ状裏面部材１５を用い、この欠落部において導電性繊維１３を露出させるようにした導電性繊維露出部Ｂを設ける以外は図４に例示の前記第２の実施態様例の除電ブラシ１１と同様の構成としたものである。
【００２４】
図６は図５に例示の除電ブラシ１１をＣ−Ｃ面で切断した断面を示す横断面図である。前記第２の実施態様例に示す除電ブラシ１１（図４及び図５に例示）においては、導電性繊維露出部Ｂにおけるテープ状表面部材１４を、その表側（テープ状裏面部材１５と対峙しない側）の面からプレス等により導電性繊維１３が配設されている部分に対応する場所を中心に凹陥状態に塑性変形させた凹陥部１８を形成しておくことが望ましい。このように凹陥部１８を形成しておくことにより、凹陥部１８の反対側の面では導電性繊維１３が突出するため、非導電性粘着層１６を介してテープ状裏面部１５をＯＡ機器等の筐体に貼着した際、該筐体に直接当接するため、テープ状表面部材１４の裏側（テープ状裏面部材１５と対峙する側の面）に非導電性粘着層１６を設けておかなくてもよいし、また繊維状電極１２から筐体へのアースが良好に行えるのでより好ましい。
【００２５】
なお、前記第１の実施態様例の除電ブラシ１（図１〜３）においても、導電性繊維露出部Ｂにおけるテープ状表面部材４を、その表側（テープ状裏面部材５と対峙しない側）の面に前記凹陥部１８（図６）のような凹陥部を設けておき、この部分における非導電性粘着材層７を形成しないでおいても良い。
【００２６】
図７は本願発明の除電ブラシの第３の実施態様例を示す斜視図である。本実施態様例の除電ブラシは、導電性繊維露出部Ｂを設けない点において前記第１及び第２の実施態様例の除電ブラシ１及び除電ブラシ１１とは異なるが、用いられる各部材及びその製造方法は前記第１及び第２の実施態様例の除電ブラシ１及び除電ブラシ１１と同様であり、その製造方法も前記第１及び第２の実施態様例の除電ブラシ１及び除電ブラシ１１とほぼ同様にして製造される。
【００２７】
本実施態様例の除電ブラシ２１は、それぞれ長方形の形状を有するテープ状表面部２４とテープ状裏面部２５との間に、繊維状電極２２と、この繊維状電極２２とほぼ直交する方向に交差し、互いに電気的に接続させた状態でテープ状表面部材２４及びテープ状裏面部材２５の長手方向に配設させた導電性繊維２３とを、繊維状電極２２の一端において挟持、固定してなる。ただし、テープ状裏面部材２５の一部分（本例ではテープ状裏面部材２５の端部）には、少なくとも導電性を有する部材とその裏面（表面部材２４と対峙しない側の面）に導電性粘着層２８を形成させた構成を有する（テープ状裏面部材２５の一部が導電性テープ状裏面部材となっている）ことが特徴である。テープ状裏面部材２５の表面部材２４と対峙しない側の面における、導電性粘着層２８が形成されていない部分には非導電性粘着層２６が形成されている。
導電性粘着層２８の素材としては、例えばアクリル系、ゴム系、シリコン系、ウレタン系、エポキシ系、ポリオレフィン系等の粘着剤に導電性物質を含有させたものが使用できる。導電性物質としては、例えば鉄、アルミニウム、カーボン、金属酸化物などを用いることができる。
【００２８】
本例の除電ブラシ２１の使用に際しては、非導電性粘着層２６及び導電性粘着層２８によりテープ状裏面部材２５をＯＡ機器等の筐体に貼着し、各々の繊維状電極２２に吸着した電荷が導電性繊維２３に集電され、次いでテープ状裏面部２５における、導電性粘着層２８が形成されている部分を介して筐体側の例えばアース端子等を経てアースされる等して除電される。
さらに、導電性繊維２３は、テープ状表面部材２４とテープ状裏面部材２５に挟持されているので、該導電性繊維は脱落し難いものとなっている。なお、裏面（表面部材２４と対峙する側の面とは反対側の面）に導電性粘着層２８を形成させたテープ状裏面部材２５が設けられる位置は必ずしも図７に例示したようにテープ状裏面部材２５の端部とする必要はなく、装着するＯＡ機器等の筐体におけるアース等の可能な位置に応じて適宜変更することできる。
【産業上の利用可能性】
【００２９】
本発明は複写機、印刷機、ファクシミリ等のＯＡ機器等における静電気除去のための除電ブラシとしてＯＡ機器等に装着して利用される。
【図面の簡単な説明】
【００３０】
【図１】本発明の除電ブラシの一実施態様例を示す概略斜視図である。
【図２】本発明の除電ブラシの一実施態様例を示す一部破断正面図である。
【図３】本発明の除電ブラシの一実施態様例を示す概略横断面図である。
【図４】本発明の除電ブラシの他の実施態様例を示す概略斜視図である。
【図５】本発明の除電ブラシの更に別の実施態様例を示す概略斜視図である。
【図６】本発明の除電ブラシの更に別の実施態様例を示す概略横断面図である。
【図７】本発明の除電ブラシの更に別の実施態様例を示す概略斜視図である。
【符号の説明】
【００３１】
１、１１、２１              除電ブラシ
２、１２、２２              繊維状電極
３、１３、２３              導電性繊維
４、１４、２４              テープ状表面部材
５、１５、２５              テープ状裏面部材
６、１６、２６、７、１７、  非導電性粘着層
１８                        凹陥部
２８                        導電性粘着層
Ｂ                          導電性繊維露出部
【図１】
0004768359.tif 000002
【図２】
0004768359.tif 000003
【図３】
0004768359.tif 000004
【図４】
0004768359.tif 000005
【図５】
0004768359.tif 000006
【図６】
0004768359.tif 000007
【図７】
0004768359.tif 000008